(57)【要約】【課題】一覧表示された情報の中から所望の情報を効率的に探し当てることができる医用画像診断装置及び画像処理装置を提供することである。【解決手段】実施形態に係る医用画像診断装置は、表示制御部と、音声出力部とを備える。前記表示制御部は、複数の情報を表示部に一覧表示する。前記音声出力部は、一覧表示された複数の情報のうち、所定の情報が選択されると、選択された情報を前記複数の情報の中から識別する識別情報を、音声で出力する。【選択図】図１
2014217561.tif 000002
【特許請求の範囲】
【請求項１】
複数の情報を表示部に一覧表示する表示制御部と、
一覧表示された複数の情報のうち、所定の情報が選択されると、選択された情報を前記複数の情報の中から識別する識別情報を、音声で出力する音声出力部と
を備えたことを特徴とする医用画像診断装置。
【請求項２】
前記音声出力部は、前記医用画像診断装置が据え付けられた現在地に応じた言語により、前記選択された情報の識別情報を音声で出力することを特徴とする請求項１に記載の医用画像診断装置。
【請求項３】
前記表示制御部は、患者氏名を含む検査の登録情報を表示部に一覧表示し、
前記音声出力部は、所定の検査の登録情報が選択されると、選択された登録情報に含まれる患者氏名を音声で出力することを特徴とする請求項１又は２に記載の医用画像診断装置。
【請求項４】
患者氏名を読み上げる音声を録音し、前記患者氏名と対応付けて、録音音声データを登録する音声録音部を更に備え、
前記音声出力部は、所定の検査の登録情報が選択されると、選択された登録情報に含まれる患者氏名に対応付けられた録音音声データを再生することを特徴とする請求項３に記載の医用画像診断装置。
【請求項５】
表示部に一覧表示される情報は、複数の項目を有するものであり、
前記音声出力部は、選択された情報の識別情報を音声で出力する場合に、予め操作者毎に指定された項目を出力することを特徴とする請求項１に記載の医用画像診断装置。
【請求項６】
複数の情報を表示部に一覧表示する表示制御部と、
一覧表示された複数の情報のうち、所定の情報が選択されると、選択された情報を前記複数の情報の中から識別する識別情報を、音声で出力する音声出力部と
を備えたことを特徴とする画像処理装置。
【発明の詳細な説明】
【技術分野】
【０００１】
本発明の実施形態は、医用画像診断装置及び画像処理装置に関する。
【背景技術】
【０００２】
従来、医用画像診断装置は、多数の検査登録を受け付け、これを検査リストとして管理している。例えば、医用画像診断装置は、患者ＩＤ（identifier）や患者氏名等の患者の属性情報とともに、検査を依頼した診療科や撮像日等の予約情報を受け付け、これを検査リストに登録する。そして、医用画像診断装置は、検査終了後には、この検査リストと、医用画像データとを紐付けて管理する。
【０００３】
この検査リストは、医用画像診断装置のモニタ上で一覧表示される。そして、技師等の操作者は、例えば、マウスを操作しながら、この検査リストに含まれる各検査の表示態様を、選択状態や非選択状態に変えながら、所望の検査を探し当てる。しかしながら、検査リストに含まれる検査の数は多いため、所望の検査を探し当てることは容易ではない。
【先行技術文献】
【特許文献】
【０００４】
【特許文献１】特開２０１２−１１０６９３号公報
【発明の概要】
【発明が解決しようとする課題】
【０００５】
本発明が解決しようとする課題は、一覧表示された情報の中から所望の情報を効率的に探し当てることができる医用画像診断装置及び画像処理装置を提供することである。
【課題を解決するための手段】
【０００６】
実施形態に係る医用画像診断装置は、表示制御部と、音声出力部とを備える。前記表示制御部は、複数の情報を表示部に一覧表示する。前記音声出力部は、一覧表示された複数の情報のうち、所定の情報が選択されると、選択された情報を前記複数の情報の中から識別する識別情報を、音声で出力する。
【図面の簡単な説明】
【０００７】
【図１】図１は、第１の実施形態に係るＭＲＩ装置の構成を示す機能ブロック図。
【図２】図２は、第１の実施形態における医療情報システムを説明するための図。
【図３】図３は、第１の実施形態に係るＭＲＩ装置の現在地設定を説明するための図。
【図４】図４は、第１の実施形態における日本語圏用の入力画面を示す図。
【図５】図５は、第１の実施形態における英語圏用の入力画面を示す図。
【図６】図６は、第１の実施形態における、ＭＲＩ装置に登録される検査情報の流れを説明するための図。
【図７】図７は、第１の実施形態における音声作成を説明するための図。
【図８】図８は、第１の実施形態における日本語圏用の検査リストを示す図。
【図９】図９は、第１の実施形態における英語圏用の検査リストを示す図。
【図１０】図１０は、その他の実施形態における音声読み上げ指定リストを示す図。
【発明を実施するための形態】
【０００８】
以下、図面を参照しながら、実施形態に係る医用画像診断装置及び画像処理装置を説明する。また、第１の実施形態においては、医用画像診断装置として、ＭＲＩ（Magnetic  Resonance  Imaging）装置を想定する。なお、実施形態は、以下の実施形態に限られるものではない。また、各実施形態において説明する内容は、原則として他の実施形態においても同様に適用することができる。
【０００９】
（第１の実施形態）
図１は、第１の実施形態に係るＭＲＩ装置１００の構成を示す機能ブロック図である。図１に示すように、ＭＲＩ装置１００は、静磁場磁石１０１と、静磁場電源１０２と、傾斜磁場コイル１０３と、傾斜磁場電源１０４と、寝台１０５と、寝台制御部１０６と、送信コイル１０７と、送信部１０８と、受信コイル１０９と、受信部１１０と、シーケンス制御部１２０と、計算機１３０とを備える。なお、ＭＲＩ装置１００に、被検体Ｐ（例えば、人体）は含まれない。また、図１に示す構成は一例に過ぎない。例えば、シーケンス制御部１２０及び計算機１３０内の各部は、適宜統合若しくは分離して構成されてもよい。
【００１０】
静磁場磁石１０１は、中空の円筒形状に形成された磁石であり、内部の空間に静磁場を発生する。静磁場磁石１０１は、例えば、超伝導磁石等であり、静磁場電源１０２から電流の供給を受けて励磁する。静磁場電源１０２は、静磁場磁石１０１に電流を供給する。なお、静磁場磁石１０１は、永久磁石でもよく、この場合、ＭＲＩ装置１００は、静磁場電源１０２を備えなくてもよい。また、静磁場電源１０２は、ＭＲＩ装置１００とは別に備えられてもよい。
【００１１】
傾斜磁場コイル１０３は、中空の円筒形状に形成されたコイルであり、静磁場磁石１０１の内側に配置される。傾斜磁場コイル１０３は、互いに直交するＸ、Ｙ、及びＺの各軸に対応する３つのコイルが組み合わされて形成されており、これら３つのコイルは、傾斜磁場電源１０４から個別に電流の供給を受けて、Ｘ、Ｙ、及びＺの各軸に沿って磁場強度が変化する傾斜磁場を発生する。傾斜磁場コイル１０３によって発生するＸ、Ｙ、及びＺの各軸の傾斜磁場は、例えば、スライス用傾斜磁場Ｇs、位相エンコード用傾斜磁場Ｇe、及び読み出し用傾斜磁場Ｇrである。傾斜磁場電源１０４は、傾斜磁場コイル１０３に電流を供給する。
【００１２】
寝台１０５は、被検体Ｐが載置される天板１０５ａを備え、寝台制御部１０６による制御の下、天板１０５ａを、被検体Ｐが載置された状態で、傾斜磁場コイル１０３の空洞（撮像口）内へ挿入する。通常、寝台１０５は、長手方向が静磁場磁石１０１の中心軸と平行になるように設置される。寝台制御部１０６は、計算機１３０による制御の下、寝台１０５を駆動して天板１０５ａを長手方向及び上下方向へ移動する。
【００１３】
送信コイル１０７は、傾斜磁場コイル１０３の内側に配置され、送信部１０８からＲＦ（Radio  Frequency）パルスの供給を受けて、高周波磁場を発生する。送信部１０８は、対象とする原子の種類及び磁場強度で定まるラーモア周波数に対応するＲＦパルスを送信コイル１０７に供給する。
【００１４】
受信コイル１０９は、傾斜磁場コイル１０３の内側に配置され、高周波磁場の影響によって被検体Ｐから発せられる磁気共鳴信号（以下、適宜「ＭＲ信号」）を受信する。受信コイル１０９は、ＭＲ信号を受信すると、受信したＭＲ信号を受信部１１０へ出力する。
【００１５】
なお、上述した送信コイル１０７及び受信コイル１０９は一例に過ぎない。送信機能のみを備えたコイル、受信機能のみを備えたコイル、若しくは送受信機能を備えたコイルのうち、１つ若しくは複数を組み合わせることによって構成されればよい。
【００１６】
受信部１１０は、受信コイル１０９から出力されるＭＲ信号を検出し、検出したＭＲ信号に基づいてＭＲデータを生成する。具体的には、受信部１１０は、受信コイル１０９から出力されるＭＲ信号をデジタル変換することによってＭＲデータを生成する。また、受信部１１０は、生成したＭＲデータをシーケンス制御部１２０へ送信する。なお、受信部１１０は、静磁場磁石１０１や傾斜磁場コイル１０３等を備える架台装置側に備えられてもよい。
【００１７】
シーケンス制御部１２０は、計算機１３０から送信されるシーケンス情報に基づいて、傾斜磁場電源１０４、送信部１０８及び受信部１１０を駆動することによって、被検体Ｐの撮像を行う。ここで、シーケンス情報は、撮像を行うための手順を定義した情報である。シーケンス情報には、傾斜磁場電源１０４が傾斜磁場コイル１０３に供給する電流の強さや電流を供給するタイミング、送信部１０８が送信コイル１０７に供給するＲＦパルスの強さやＲＦパルスを印加するタイミング、受信部１１０がＭＲ信号を検出するタイミング等が定義される。例えば、シーケンス制御部１２０は、ＡＳＩＣ（Application  Specific  Integrated  Circuit）、ＦＰＧＡ（Field  Programmable  Gate  Array）等の集積回路、ＣＰＵ（Central  Processing  Unit）、ＭＰＵ（Micro  Processing  Unit）等の電子回路である。
【００１８】
シーケンス制御部１２０は、傾斜磁場電源１０４、送信部１０８及び受信部１１０を駆動して被検体Ｐを撮像した結果、受信部１１０からＭＲデータを受信すると、受信したＭＲデータを計算機１３０へ転送する。
【００１９】
計算機１３０は、ＭＲＩ装置１００の全体制御や、画像の生成等を行う。計算機１３０は、インタフェース部１３１、記憶部１３２、制御部１３３、入力部１３４、表示部１３５、及び画像生成部１３６を備える。
【００２０】
インタフェース部１３１は、シーケンス情報をシーケンス制御部１２０へ送信し、シーケンス制御部１２０からＭＲデータを受信する。また、インタフェース部１３１は、ＭＲデータを受信すると、受信したＭＲデータを記憶部１３２に格納する。記憶部１３２に格納されたＭＲデータは、制御部１３３によってｋ空間に配置される。
【００２１】
記憶部１３２は、インタフェース部１３１によって受信されたＭＲデータや、制御部１３３によってｋ空間に配置されたｋ空間データ、画像生成部１３６によって生成された画像データ等を記憶する。例えば、記憶部１３２は、ＲＡＭ（Random  Access  Memory）、フラッシュメモリ等の半導体メモリ素子、ハードディスク、光ディスク等である。
【００２２】
入力部１３４は、操作者からの各種指示や情報入力を受け付ける。入力部１３４は、例えば、マウスやトラックボール等のポインティングデバイス、あるいはキーボード等の入力デバイスである。表示部１３５は、制御部１３３による制御の下、スペクトラムデータや画像データ等の各種の情報を表示する。表示部１３５は、例えば、液晶ディスプレイ等の表示デバイスである。
【００２３】
制御部１３３は、ＭＲＩ装置１００の全体制御を行う。具体的には、制御部１３３は、入力部１３４を介して操作者から入力される撮像条件に基づいてシーケンス情報を生成し、生成したシーケンス情報をシーケンス制御部１２０へ送信することによって撮像を制御する。また、制御部１３３は、ＭＲデータに基づいて行われる画像の生成を制御したり、表示部１３５による表示を制御したりする。また、制御部１３３は、受信部１１０によって生成されたＭＲデータを記憶部１３２から読み出し、ｋ空間に配置する。例えば、制御部１３３は、ＡＳＩＣ、ＦＰＧＡ等の集積回路、ＣＰＵ、ＭＰＵ等の電子回路である。
【００２４】
ここで、第１の実施形態における制御部１３３は、図１に示すように、表示制御部１３３ａと、音声出力部１３３ｂと、音声録音部１３３ｃとを備える。これら各部による処理の詳細については、後述する。
【００２５】
画像生成部１３６は、制御部１３３によってｋ空間に配置されたｋ空間データを記憶部１３２から読み出し、読み出したｋ空間データに２次元フーリエ変換等の再構成処理を施すことで、画像を生成する。
【００２６】
さて、ＭＲＩ装置１００は、患者ＩＤや患者氏名等の患者の属性情報とともに、検査を依頼した診療科や撮像日等の予約情報を受け付け、これを検査リストとして登録を行う。ところで、近年の医療機関においては、医療情報管理システム（以下、適宜「ＨＩＳ（Hospital  Information  System）」）や、放射線部門情報管理システム（以下、適宜「ＲＩＳ（Radiological  Information  System）」）の導入、院内ＬＡＮ（Local  Area  Network）の整備が進んでいる。
【００２７】
図２は、第１の実施形態における医療情報システムを説明するための図である。図２に示すように、第１の実施形態においては、ＨＩＳ１０、ＲＩＳ２０、ＭＲＩ装置１００等の各種医用画像診断装置、画像保管サーバ２００、画像表示装置３００等が院内ＬＡＮ１に接続し、相互に通信可能である。例えば、この通信は、ＤＩＣＯＭ（Digital  Imaging  and  Communication  in  Medicine）規格に則って行われる。
【００２８】
ＨＩＳ１０は、一般に、医療機関において実施される医療行為の登録、実施、診断結果等を、コンピュータによって管理するシステムである。ＨＩＳ１０は、各診療科の診察部門のみならず、予約部門、会計部門、薬剤部門等で利用される。例えば、ＨＩＳ１０には、診察医が利用する情報処理端末と、患者の予約情報や診断情報、医療行為の実施状況等を記憶するデータベースとが含まれる。
【００２９】
ＲＩＳ２０は、放射線診断部門と放射線治療部門とを連結するのみならず、一般に、ＨＩＳ１０や、ＭＲＩ装置１００等の医用画像診断装置、あるいは医事請求事務等とも情報の連携を行う。例えば、ＲＩＳ２０には、放射線科医等が放射線科オーダの検査登録に利用する情報処理端末と、放射線科オーダを記憶するデータベースとが含まれる。
【００３０】
なお、上述したＨＩＳ１０やＲＩＳ２０の説明は一例に過ぎない。医療機関に応じて、その役割等は適宜分担されたり、省略あるいは追加されたりする。
【００３１】
また、図２に示す医療情報システムも一例に過ぎない。例えば、各システムや各装置を接続するネットワークは、院内ＬＡＮに限られず、インターネット等の他のネットワークでもよい。また、画像保管サーバ２００をクラウドコンピューティングによって実現する等、適宜変更することができる。また、通信の規格もＤＩＣＯＭ規格に限られるものではなく、他の規格であってもよい。
【００３２】
上述した構成の下、第１の実施形態に係るＭＲＩ装置１００は、登録された検査リストを、ＭＲＩ装置１００が据え付けられた国や地域に応じた言語によって音声で読み上げる機能を有する。
【００３３】
図３は、第１の実施形態に係るＭＲＩ装置１００の現在地設定を説明するための図である。上述したように、第１の実施形態に係るＭＲＩ装置１００は、据付国や据付地域に応じた言語による音声読み上げ機能を有する。この据付国や据付地域は、図３に示すように、ＭＲＩ装置１００の据え付け時に、例えば据付者によって入力されることでＭＲＩ装置１００に設定される。
【００３４】
まず、ＭＲＩ装置１００は、据付者によって所定の場所に据え付けられ、電源が投入されて起動される（ステップＳ１０１）。また、ＭＲＩ装置１００は、このタイミングで、据付者によって現在地を設定される（ステップＳ１０２）。例えば、据付者は、現在地として、「日本」、「ＵＳＡ（United  States  of  America）」、「中国」等の国や地域を設定する。
【００３５】
続いて、ＭＲＩ装置１００は、ステップＳ１０２で設定された現在地の情報に基づいて、言語圏を判定する（ステップＳ１０３）。例えば、ステップＳ１０２で設定された現在地が「日本」ならば「日本語圏」と判定する。また、例えば、ステップＳ１０２で設定された現在地が「ＵＳＡ」ならば「英語圏」と判定する。また、例えば、ステップＳ１０２で設定された現在地が「中国」ならば「中国語圏」と判定する。
【００３６】
そして、ＭＲＩ装置１００は、記憶部１３２に格納された言語毎のソフトウェアの中から、該当する言語のソフトウェアを読み出し、起動する（ステップＳ１０４）。このように、該当する言語のソフトウェアが読み出されるので、ＭＲＩ装置１００にて表示される各種画面（例えば、後述する検査登録時の入力画面等）は、ＭＲＩ装置１００が据え付けられた現在地に対応するものとなる。
【００３７】
図４は、第１の実施形態における日本語圏用の入力画面を示す図であり、図５は、第１の実施形態における英語圏用の入力画面を示す図である。図４及び図５では、患者の属性情報や予約情報等を登録する検査登録時の入力画面を示す。図４に示すように、例えば、日本語圏用の入力画面では、「患者ＩＤ」、「患者氏名」、「身長／体重」、「性別」、「生年月日」等の患者の属性情報や、「撮像日」、「撮像時刻」、「依頼科」、「依頼科医」、「放射線科医」、「技師名」等の予約情報を、日本語の見出し付の入力欄で受け付ける。また、各欄は、例えば、漢字やひらがな等、日本語の文字コードに対応している。同様に、図５に示すように、例えば、英語圏用の入力画面では、上述した患者の属性情報や予約情報等を、英語の見出し付の入力欄で受け付ける。
【００３８】
ここで、「患者氏名」に関して、日本語圏用の入力画面では、「よみがな」及び「ローマ字」を入力させる入力画面が準備されている一方で、英語圏用の入力画面では、「Last  name」、「First  name」、「Middle  name」を入力させる入力画面が準備されている。このように、同じ「患者氏名」に関する入力画面であっても、言語圏に応じて、その入力項目は異なる場合がある。
【００３９】
なお、ＭＲＩ装置１００は、その他の画面においても同様に、該当する言語のＧＵＩ（Graphical  User  Interface）を読み出して表示する。もっとも、必ずしも、言語圏と、ＧＵＩの言語とが１対１で対応しなければならないわけではない。例えば、日本語圏や中国語圏であっても、画面の種類によっては、英語のＧＵＩが用いられる場合もある。
【００４０】
次に、図６は、第１の実施形態における、ＭＲＩ装置１００に登録される検査情報の流れを説明するための図である。なお、図６においては、ＭＲＩ装置１００が日本語圏に据え付けられた場合を想定している。また、図６に示す検査情報の流れは、一例を示すものに過ぎない。
【００４１】
まず、例えば、患者が医療機関に来院し、診療受付を行うと（ステップＳ２０１）、まず、ＨＩＳ１０が、「患者氏名」や、「よみがな」、「ローマ字」等の患者の属性情報の登録を受け付ける（ステップＳ２０２）。なお、後述するように、この「よみがな」や、「ローマ字」は、「患者氏名」の音声読み上げに用いられるが、例えば、「患者氏名」の読みが複雑である場合等には、この診療受付の段階で、「患者氏名」を読み上げる音声を録音しておくとよい。この音声録音は、患者本人に依頼してもよいし、例えば受付者等の他の者が行ってもよい。
【００４２】
ＨＩＳ１０で受け付けられた患者の属性情報は、次に、ＲＩＳ２０に送られる（ステップＳ２０３）。即ち、ＨＩＳ１０は、ＲＩＳ２０に対して、例えば、「患者ＩＤ」、「患者氏名」、「よみがな」、及び「ローマ字」等の患者の属性情報を送る。なお、ステップＳ２０２において、「患者氏名」を読み上げる音声録音が行われた場合、ＨＩＳ１０は、この録音音声データについても、ＲＩＳ２０に送る。すると、ＲＩＳ２０では、ＨＩＳ１０から送られた患者の属性情報をデータベースに登録するとともに、録音音声データを、患者の属性情報に対応付けて登録する。
【００４３】
次に、ＲＩＳ２０は、放射線科医等によって操作されることで、この患者に対して行われる検査の撮像装置（例えば、Ｘ線診断装置、Ｘ線ＣＴ（Computed  Tomography）装置、超音波診断装置、ＭＲＩ装置等）や撮像日時の予約を行い、予約情報を患者の属性情報と対応付けて、データベースに登録する（ステップＳ２０４）。予約情報には、例えば、「撮像日」、「撮像時刻」、「依頼科」、「依頼科医」、「放射線科医」が含まれる。
【００４４】
そして、ＲＩＳ２０は、患者の属性情報及び予約情報を、ステップＳ２０４で予約された撮像装置に送る（ステップＳ２０５）。ここでは、ＭＲＩ装置１００による検査が予約されたことを想定する。この場合、ＲＩＳ２０は、ＭＲＩ装置１００に対して、例えば、患者の属性情報である、「患者ＩＤ」、「患者氏名」、「よみがな」、「ローマ字」等や、予約情報である、「撮像日」、「撮像時刻」、「依頼科」、「依頼科医」、「放射線科医」等を送る。また、ステップＳ２０２において、「患者氏名」を読み上げる音声録音が行われた場合、ＲＩＳ２０は、この録音音声データについても、ＭＲＩ装置１００に送る。
【００４５】
すると、ＭＲＩ装置１００は、検査登録を受け付け、これを検査リストの中で管理する（ステップＳ２０６）。なお、ここでは、患者の属性情報や予約情報等が、ＨＩＳ１０、ＲＩＳ２０を介して、ＭＲＩ装置１００に対して自動的に入力される例を説明したが、実施形態はこれに限られるものではない。例えば、図４に例示した入力画面上で、技師等の操作者が直接入力することで、患者の属性情報や予約情報が登録されてもよい。
【００４６】
また、第１の実施形態に係るＭＲＩ装置１００は、この検査登録を受け付ける段階において、「患者氏名」を読み上げる音声を作成する。図７は、第１の実施形態における音声作成を説明するための図である。上述したように、同じ「患者氏名」に関する入力画面であっても、言語圏に応じて、その入力項目は異なる場合がある。図７に示すように、例えば、日本語圏、英語圏、中国語圏では、それぞれ異なる入力項目が準備されている。そこで、ＭＲＩ装置１００は、言語圏に応じた項目を利用して音声を作成する。例えば、日本語圏の場合は、「よみがな」に入力された項目を利用して、音声を作成する。また、例えば、英語圏の場合は、「Last  Name」と「First  Name」に入力された項目を利用して、音声を作成する。また、例えば、中国語圏の場合には、やはりよみがなに入力された項目（図７において「dong  zhi  tai  lang」等）を利用して、音声を作成する。
【００４７】
なお、第１の実施形態においては、上述したように、検査登録を受け付ける段階において「患者氏名」を読み上げる音声を作成する例を説明したが、実施形態はこれに限られるものではない。例えば、音声を読み上げるタイミングで、初めて検査リストのうちの必要な項目を参照して、音声を読み上げる仕組みでもよい。
【００４８】
また、ＭＲＩ装置１００において、「患者氏名」を読み上げる音声録音を行ってもよい。この場合、音声録音部１３３ｃが、「患者氏名」を読み上げる音声を録音し、この「患者氏名」と対応付けて、録音音声データを検査リストに登録する。例えば、ＭＲＩ装置１００の入力画面には、図４に示すように、「録音」ボタンＲ１が準備されている。また、例えば、図５の例では、「Record」ボタンＲ２が準備されている。ＭＲＩ装置１００は、この「録音」ボタンＲ１が押下された場合に、「患者氏名」を読み上げる音声録音を行う。
【００４９】
その後、ＭＲＩ装置１００では、予約された撮像日、撮像時刻になると、検査、即ち、ＭＲＩ装置１００による撮像が実施される（ステップＳ２０７）。ここで、第１の実施形態において、音声出力部１３３ｂは、ＭＲＩ装置１００が現に検査対象とする検査の登録情報を参照し、登録情報に含まれる「患者氏名」を音声で読み上げる。例えば、患者が撮影室に入室したタイミングで、音声出力部１３３ｂは、ＨＩＳ１０等で録音された録音音声データを再生することで、「患者氏名」を音声で読み上げてもよい。この場合の読み上げは、例えば、「○○さんの検査を開始します」といった、文章の形態に変更されたものでもよい。なお、例えば、音声出力部１３３ｂは、図４に示す入力画面で録音された録音音声データを再生することで、「患者氏名」を音声で読み上げてもよい。また、例えば、音声出力部１３３ｂは、参照した登録情報のうち、例えば「ふりがな」を利用して、「患者氏名」を音声で読み上げてもよい。
【００５０】
こうして、ＭＲＩ装置１００における検査が終了する（ステップＳ２０８）。
【００５１】
ところで、ＭＲＩ装置１００においては、検査終了後、技師等の操作者によって、検査リストを用いた操作が行われる場合がある。ＭＲＩ装置１００にて収集された医用画像データは、典型的には、図２に例示した、ＰＡＣＳ（Picture  Archiving  and  Communication  Systems）の画像保管サーバ２００等に保管され、その後、画像表示装置３００による閲覧に供される。
【００５２】
この画像保管サーバ２００への医用画像データの送信は、ＭＲＩ装置１００による撮像後に連続して自動的に行われる場合もあるが、自動的に送信する前に、技師等の操作者が、ＭＲＩ装置１００上で、医用画像データに対する後処理を行う場合もある。このような操作において、第１の実施形態に係るＭＲＩ装置１００は、検査リストを音声で読み上げる。
【００５３】
まず、表示制御部１３３ａは、検査の登録情報を、表示部１３５に一覧表示する。図８は、第１の実施形態における日本語圏用の検査リストを示す図であり、図９は、第１の実施形態における英語圏用の検査リストを示す図である。
【００５４】
技師等の操作者は、例えば、マウスを操作しながら、この検査リストに含まれる各検査の表示態様を、選択状態や非選択状態に変えながら、所望の検査を探し当てようとする。例えば、操作者は、ある行を選択状態（例えば、白黒反転状態）にしつつ、マウスのホイール操作をして、続いてその下の行を選択状態にする。すると、ひとつ前の行は、非選択状態に戻る。このように、操作者は、表示部１３５に一覧表示された検査リストを見ながら、このような検索操作を行う。しかしながら、検査リストに含まれる検査の数は多いため、所望の検査を探し当てることは容易ではない。
【００５５】
この点、第１の実施形態においては、音声出力部１３３ｂが、操作者によってある検査の登録情報が選択されると、ＭＲＩ装置１００が据え付けられた現在地に応じた言語によって、選択された登録情報に含まれる「患者氏名」を音声で出力する。即ち、音声出力部１３３ｂは、例えば、操作者によってある行が選択状態にされると、この行に対応する登録情報の「患者氏名」を、音声で読み上げる。
【００５６】
例えば、音声出力部１３３ｂは、ＨＩＳ１０等で録音された録音音声データを再生することで、「患者氏名」を音声で読み上げてもよい。また、例えば、音声出力部１３３ｂは、図４に示す入力画面で録音された録音音声データを再生することで、「患者氏名」を音声で読み上げてもよい。また、例えば、音声出力部１３３ｂは、参照した登録情報のうち、日本語圏であれば、例えば「ふりがな」を利用して、「患者氏名」を音声で読み上げてもよい。
【００５７】
操作者が、マウスのホイール操作をしながら、検査リストの選択状態を次々と変更していくと、音声出力部１３３ｂは、選択状態となった登録情報の「患者氏名」を、次々に読み上げる。この場合、操作者は、例えば、表示部１３５に表示された一覧表示を目で閲覧しなくても、音声で読み上げられる「患者氏名」を耳で聞くだけで、所望の情報を探し当てることができる。
【００５８】
このように、第１の実施形態によれば、一覧表示された検査リストのうち、ある検査の登録情報が選択されると、「患者氏名」を音声で読み上げるので、技師等の操作者は、一覧表示された情報の中から所望の情報を効率的に探し当てることができる。なお、第１の実施形態において、「患者氏名」は、選択された登録情報を検査リストの中から識別する識別情報として機能している。
【００５９】
（他の実施形態）
実施形態は、上述した実施形態に限られるものではない。
【００６０】
（操作者毎の指定項目）
上述した実施形態においては、検査終了後の後処理において検査リストを閲覧する場合を想定し、また、音声読み上げの項目を「患者氏名」とする例を説明したが、実施形態はこれに限られるものではない。音声読み上げの項目は、検査リストを閲覧する操作者にとって適切な情報であればよい。例えば、「患者ＩＤ」の数値を読み上げたり、「撮像部位」を読み上げてもよい。いずれの場合も、音声出力部１３３ｂは、ＭＲＩ装置１００が据え付けられた現在地を判定し、判定した現在地に応じた言語で、読み上げる。また、例えば、操作者毎に、音声読み上げの項目は異なってもよい。
【００６１】
図１０は、その他の実施形態における音声読み上げ指定リストを示す図である。例えば、音声出力部１３３ｂは、図１０に示すような音声読み上げ指定リストに従って、操作者毎に指定された項目を音声で出力する。例えば、ＭＲＩ装置１００の操作にあたり、ＭＲＩ装置１００は、操作を行う「技師名」の入力を受け付けているとする。この場合、音声出力部１３３ｂは、検査リストを読み上げる際に、ＭＲＩ装置１００に入力された「技師名」を用いて音声読み上げ指定リストを参照し、どの項目を音声読み上げの対象とするかを判定する。また、図１０に例示するように、音声読み上げの項目は、複数であってもよい。
【００６２】
なお、音声読み上げ指定リストは、例えば、ＭＲＩ装置１００の据付時等に、操作者に対するヒヤリングに基づいて設定されてもよいし、あるいは事後的に設定されてもよい。また、例えば、音声読み上げ指定リストは、編集可能な形式でＭＲＩ装置１００に保持されていて、操作者による事後的な変更等を受け付けてもよい。
【００６３】
更に、音声読み上げ指定リストにおいて、操作者に対応付けて国籍を登録してもよい。この場合、音声出力部１３３ｂは、検査リストを読み上げる際に、ＭＲＩ装置１００に入力された「技師名」を用いて音声読み上げ指定リストを参照し、どの言語で、どの項目を音声読み上げの対象とするかを判定する。なお、操作者の国籍に基づいて読み上げの言語を切り替える手法は、上述した第１の実施形態においても同様に適用することができる。
【００６４】
また、上述した実施形態においては、主に検査リストを閲覧する場合を想定して説明したが、実施形態はこれに限られるものではない。音声出力部１３３ｂは、検査実施時や、検査リストの下位に位置付けられるシリーズリストを閲覧する場合等にも同様に、音声による読み上げを行ってもよい。例えば、検査実施時の読み上げに適する項目と、検査リスト閲覧時の読み上げに適する項目、あるいは、シリーズリスト閲覧時の読み上げに適する項目とは、それぞれ異なる場合が考えられる。そこで、音声出力部１３３ｂは、各タイミングに適した項目を、音声の読み上げの対象とする。更に、図１０に示すように、音声出力部１３３ｂは、タイミングによる区別と、操作者による区別とを、併用してもよい。
【００６５】
（他の医用画像診断装置、画像処理装置）
また、上述した実施形態においては、医用画像診断装置として、主にＭＲＩ装置１００を想定し、ＭＲＩ装置１００に登録された検査リストの音声読み上げを想定したが、実施形態はこれに限られるものではない。Ｘ線診断装置や、Ｘ線ＣＴ装置、超音波診断装置等、他の医用画像診断装置においても同様に、検査リストの音声読み上げ機能を適用することができる。更に、音声読み上げの対象は、検査リストに限られるものではない。例えば、医用画像リスト等、複数の情報が一覧表示されるものであれば、他のリストにも同様に適用することができる。
【００６６】
更に、上述した機能は、通常の画像処理装置等においても実現することができる。この場合、画像処理装置は、表示制御部と、音声出力部とを備える。表示制御部は、複数の情報を表示部に一覧表示する。また、音声出力部は、一覧表示された複数の情報のうち、所定の情報が選択されると、選択された情報を前記複数の情報の中から識別する識別情報を、音声で出力する。
【００６７】
（プログラム）
また、上述した実施形態の中で示した処理手順に示された指示は、ソフトウェアであるプログラムに基づいて実行されることが可能である。汎用コンピュータが、このプログラムを予め記憶しておき、このプログラムを読み込むことにより、上述した実施形態のＭＲＩ装置１００による効果と同様の効果を得ることも可能である。上述した実施形態で記述された指示は、コンピュータに実行させることのできるプログラムとして、磁気ディスク（フレキシブルディスク、ハードディスクなど）、光ディスク（ＣＤ−ＲＯＭ、ＣＤ−Ｒ、ＣＤ−ＲＷ、ＤＶＤ−ＲＯＭ、ＤＶＤ±Ｒ、ＤＶＤ±ＲＷなど）、半導体メモリ、又はこれに類する記録媒体に記録される。コンピュータ又は組み込みシステムが読み取り可能な記憶媒体であれば、その記憶形式は何れの形態であってもよい。コンピュータは、この記録媒体からプログラムを読み込み、このプログラムに基づいてプログラムに記述されている指示をＣＰＵで実行させれば、上述した実施形態のＭＲＩ装置１００と同様の動作を実現することができる。また、コンピュータがプログラムを取得する場合又は読み込む場合は、ネットワークを通じて取得又は読み込んでもよい。
【００６８】
以上述べた少なくとも一つの実施形態の医用画像診断装置及び画像処理装置によれば、一覧表示された情報の中から所望の情報を効率的に探し当てることができる。
【００６９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７０】
１００  ＭＲＩ装置
１３３  制御部
１３３ａ  表示制御部
１３３ｂ  音声出力部
１３３ｃ  音声録音部
【図１】
2014217561.tif 000003
【図２】
2014217561.tif 000004
【図３】
2014217561.tif 000005
【図４】
2014217561.tif 000006
【図５】
2014217561.tif 000007
【図６】
2014217561.tif 000008
【図７】
2014217561.tif 000009
【図８】
2014217561.tif 000010
【図９】
2014217561.tif 000011
【図１０】
2014217561.tif 000012